【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
既知の第１のシンボル部分とその前後に配置された信号とからなる第１のフレームと、
前記第１のシンボル部分よりもシンボル数の多い既知の第２のシンボル部分とその前後に配置された信号とからなる第２のフレームと、
を等化処理する通信システムであって、
等化処理対象となる信号とタップ利得係数に基づいて等化フィルタ処理を行って等化処理結果の信号を取得する等化フィルタ手段と、
所定のアルゴリズムを用いて前記タップ利得係数を更新する更新手段と、
前記第１のフレームに含まれる前記第１のシンボル部分とそれより後方の信号、及び前記第２のフレームに含まれる前記第２のシンボル部分とそれより後方の信号を順方向でメモリ転送する第１の転送手段と、
前記第１のフレームに含まれる前記第１のシンボル部分とそれより前方の信号、及び前記第２のフレームに含まれる前記第２のシンボル部分とそれより前方の信号を逆順でメモリ転送する第２の転送手段と、
前記順方向でメモリ転送された信号を入力して、これに含まれる前記第１のシンボル部分の全部、及び前記第２のシンボル部分の一部を等化処理対象として用いて前記等化フィルタ手段により前方等化フィルタ処理を行うと共に、前記第１のシンボル部分より後方の受信信号、及び前記第２のシンボル部分より後方の受信信号を等化処理対象として用いて前記等化フィルタ手段により前方等化フィルタ処理を行う第１の制御手段と、
前記逆順でメモリ転送された信号を入力して、これに含まれる前記第１のシンボル部分の全部、及び前記第２のシンボル部分の一部を等化処理対象として用いて前記等化フィルタ手段により後方等化フィルタ処理を行うと共に、前記第１のシンボル部分より前方の受信信号、及び前記第２のシンボル部分より前方の受信信号を等化処理対象として用いて前記等化フィルタ手段により後方等化フィルタ処理を行う第２の制御手段と、
を備え、
前記第１及び第２の転送手段は、メモリ転送する前記第２のシンボル部分のシンボル数を、前記第１のシンボル部分のシンボル数と同一にすることを特徴とする通信システム。
【請求項２】
請求項１に記載の通信システムにおいて、
前記第１の制御手段は、前記第１の転送手段により順方向で転送したメモリ内容を入力して、これに含まれる前記第１のシンボル部分の全部、及び前記第２のシンボル部分の一部を複数回繰り返して等化処理対象として用いて前記等化フィルタ手段により前方等化フィルタ処理を行い、前記第２の制御手段は、前記第２の転送手段により逆順で転送したメモリ内容を入力して、これに含まれる前記第１のシンボル部分の全部、及び前記第２のシンボル部分の一部を複数回繰り返して等化処理対象として用いて前記等化フィルタ手段により後方等化フィルタ処理を行う、ことを特徴とする通信システム。
【請求項３】
請求項１又は請求項２に記載の通信システムにおいて、
前記受信信号を構成する前記フレームに含まれる前記第１のシンボル部分及び前記第２のシンボル部分は、同期ワードのシンボル部分であり、前記所定のアルゴリズムは、ＬＭＳアルゴリズム又はＲＬＳアルゴリズムである、ことを特徴とする通信システム。
【請求項４】
既知の第１のシンボル部分とその前後に配置された信号とからなる第１のフレームと、
前記第１のシンボル部分よりもシンボル数の多い既知の第２のシンボル部分とその前後に配置された信号とからなる第２のフレームと、
を等化処理する等化処理方法であって、
前記第１のフレームに含まれる前記第１のシンボル部分とそれより後方の信号、及び前記第２のフレームに含まれる前記第２のシンボル部分とそれより後方の信号を順方向でメモリ転送し、
前記第１のフレームに含まれる前記第１のシンボル部分とそれより前方の信号、及び前記第２のフレームに含まれる前記第２のシンボル部分とそれより前方の信号を逆順でメモリ転送し、
前記順方向でメモリ転送された信号を入力して、これに含まれる前記第１のシンボル部分の全部、及び前記第２のシンボル部分の一部を等化処理対象として用いて、等化処理対象となる信号と所定のアルゴリズムを用いて更新されるタップ利得係数に基づいて前方等化フィルタ処理を行うと共に、前記第１のシンボル部分より後方の受信信号、及び前記第２のシンボル部分より後方の受信信号を等化処理対象として用いて前記前方等化フィルタ処理を行って前方等化処理結果の信号を取得し、
前記逆順でメモリ転送された信号を入力して、これに含まれる前記第１のシンボル部分の全部、及び前記第２のシンボル部分の一部を等化処理対象として用いて、等化処理対象となる信号と所定のアルゴリズムを用いて更新されるタップ利得係数に基づいて後方等化フィルタ処理を行うと共に、前記第１のシンボル部分より前方の受信信号、及び前記第２のシンボル部分より前方の受信信号を等化処理対象として用いて前記後方等化フィルタ処理を行って後方等化処理結果の信号を取得する、と共に、
前記第２のシンボル部分をメモリ転送するとき、前記第２のシンボル部分のシンボル数を、前記第１のシンボル部分のシンボル数と同一にすることを特徴とする等化処理方法。
【請求項５】
請求項４に記載の等化処理方法において、
前記通信システムの結合手段が、前記前方等化処理結果の信号と前記後方等化処理結果の信号とを結合し、元の受信信号と同配列の等化処理結果を取得する、  ことを特徴とする等化処理方法。
【手続補正２】
【補正対象書類名】明細書
【補正対象項目名】００１０
【補正方法】変更
【補正の内容】
【００１０】
上記目的を達成するため、本発明に係る通信システムでは、次のような構成により、既知のシンボル部分を含むフレームからなる受信信号を等化処理する。
すなわち、既知の第１のシンボル部分とその前後に配置された信号とからなる第１のフレームと、前記第１のシンボル部分よりもシンボル数の多い既知の第２のシンボル部分とその前後に配置された信号とからなる第２のフレームと、
を等化処理する通信システムであって、等化処理対象となる信号とタップ利得係数に基づいて等化フィルタ処理を行って等化処理結果の信号を取得する等化フィルタ手段と、所定のアルゴリズムを用いて前記タップ利得係数を更新する更新手段と、前記第１のフレームに含まれる前記第１のシンボル部分とそれより後方の信号、及び前記第２のフレームに含まれる前記第２のシンボル部分とそれより後方の信号を順方向でメモリ転送する第１の転送手段と、前記第１のフレームに含まれる前記第１のシンボル部分とそれより前方の信号、及び前記第２のフレームに含まれる前記第２のシンボル部分とそれより前方の信号を逆順でメモリ転送する第２の転送手段と、前記順方向でメモリ転送された信号を入力して、これに含まれる前記第１のシンボル部分の全部、及び前記第２のシンボル部分の一部を等化処理対象として用いて前記等化フィルタ手段により前方等化フィルタ処理を行うと共に、前記第１のシンボル部分より後方の受信信号、及び前記第２のシンボル部分より後方の受信信号を等化処理対象として用いて前記等化フィルタ手段により前方等化フィルタ処理を行う第１の制御手段と、前記逆順でメモリ転送された信号を入力して、これに含まれる前記第１のシンボル部分の全部、及び前記第２のシンボル部分の一部を等化処理対象として用いて前記等化フィルタ手段により後方等化フィルタ処理を行うと共に、前記第１のシンボル部分より前方の受信信号、及び前記第２のシンボル部分より前方の受信信号を等化処理対象として用いて前記等化フィルタ手段により後方等化フィルタ処理を行う第２の制御手段と、 を備え、前記第１及び第２の転送手段は、メモリ転送する前記第２のシンボル部分のシンボル数を、前記第１のシンボル部分のシンボル数と同一にする。
【手続補正３】
【補正対象書類名】明細書
【補正対象項目名】００１１
【補正方法】変更
【補正の内容】
【００１１】
従って、例えば、情報部分と既知のシンボル部分と情報部分が並んで配置されたフレームのように、フレームの内部に既知のシンボル部分が含まれるような場合に、前方等化処理及び後方等化処理を効果的に使用して、効果的な等化処理を行うことができる。具体例として、前方等化処理と後方等化処理とで、同様な転送処理を行うことが可能であり、同様な等化フィルタ処理を行うことが可能であり、これらの処理プログラムなどを共通化することが可能である。さらに、メモリ転送する第２のシンボル部分のシンボル数を、第１のシンボル部分のシンボル数と同一にすることで、シンボル数が異なるフレームに対する等化フィルタ処理を共通化することができる。
【手続補正４】
【補正対象書類名】明細書
【補正対象項目名】００１３
【補正方法】変更
【補正の内容】
【００１３】
また、フレームの構成としては、種々なものが用いられてもよい。
また、既知のシンボル部分としては、種々なものが用いられてもよい。
また、等化フィルタ処理としては、タップ利得係数による種々なフィルタリング処理が用いられてもよく、例えば、受信信号ばかりでなく、所定の参照信号も用いることができる。所定の参照信号としては、例えば、既知のシンボル部分（全部又は一部）については、予めメモリに記憶された当該既知のシンボル部分に相当するシンボルパターンの信号を用いることができ、また、情報シンボル部分については、等化処理結果の信号のデータを判定した結果の信号を用いることができる。
【手続補正５】
【補正対象書類名】明細書
【補正対象項目名】００１５
【補正方法】変更
【補正の内容】
【００１５】
本発明に係る通信システムでは、一構成例として、次のような構成とした。
すなわち、前記第１の制御手段は、前記第１の転送手段により順方向で転送したメモリ内容を入力して、これに含まれる前記第１のシンボル部分の全部、及び前記第２のシンボル部分の一部を複数回繰り返して等化処理対象として用いて前記等化フィルタ手段により前方等化フィルタ処理を行い、前記第２の制御手段は、前記第２の転送手段により逆順で転送したメモリ内容を入力して、これに含まれる前記第１のシンボル部分の全部、及び前記第２のシンボル部分の一部を複数回繰り返して等化処理対象として用いて前記等化フィルタ手段により後方等化フィルタ処理を行う。
【手続補正６】
【補正対象書類名】明細書
【補正対象項目名】００１８
【補正方法】変更
【補正の内容】
【００１８】
本発明に係る通信システムでは、一構成例として、次のような構成とした。
すなわち、前記受信信号を構成する前記フレームに含まれる前記第１のシンボル部分の全部、及び前記第２のシンボル部分の一部は、同期ワードのシンボル部分である。また、前記所定のアルゴリズムは、ＬＭＳアルゴリズム又はＲＬＳアルゴリズムである。
【手続補正７】
【補正対象書類名】明細書
【補正対象項目名】００２０
【補正方法】変更
【補正の内容】
【００２０】
本発明に係る等化処理方法では、次のような構成により、既知のシンボル部分を含むフレームからなる受信信号を等化処理する。
すなわち、既知の第１のシンボル部分とその前後に配置された信号とからなる第１のフレームと、前記第１のシンボル部分よりもシンボル数の多い既知の第２のシンボル部分とその前後に配置された信号とからなる第２のフレームと、
を等化処理する等化処理方法であって、前記第１のフレームに含まれる前記第１のシンボル部分とそれより後方の信号、及び前記第２のフレームに含まれる前記第２のシンボル部分とそれより後方の信号を順方向でメモリ転送し、前記第１のフレームに含まれる前記第１のシンボル部分とそれより前方の信号、及び前記第２のフレームに含まれる前記第２のシンボル部分とそれより前方の信号を逆順でメモリ転送し、前記順方向でメモリ転送された信号を入力して、これに含まれる前記第１のシンボル部分の全部、及び前記第２のシンボル部分の一部を等化処理対象として用いて、等化処理対象となる信号と所定のアルゴリズムを用いて更新されるタップ利得係数に基づいて前方等化フィルタ処理を行うと共に、前記第１のシンボル部分より後方の受信信号、及び前記第２のシンボル部分より後方の受信信号を等化処理対象として用いて前記前方等化フィルタ処理を行って前方等化処理結果の信号を取得し、前記逆順でメモリ転送された信号を入力して、これに含まれる前記第１のシンボル部分の全部、及び前記第２のシンボル部分の一部を等化処理対象として用いて、等化処理対象となる信号と所定のアルゴリズムを用いて更新されるタップ利得係数に基づいて後方等化フィルタ処理を行うと共に、前記第１のシンボル部分より前方の受信信号、及び前記第２のシンボル部分より前方の受信信号を等化処理対象として用いて前記後方等化フィルタ処理を行って後方等化処理結果の信号を取得する、と共に、前記第２のシンボル部分をメモリ転送するとき、前記第２のシンボル部分のシンボル数を、前記第１のシンボル部分のシンボル数と同一にすることを特徴とする等化処理方法。
従って、例えば、情報部分と既知のシンボル部分と情報部分が並んで配置されたフレームのように、フレームの内部に既知のシンボル部分が含まれるような場合に、前方等化処理及び後方等化処理を効果的に使用して、効果的な等化処理を行うことができる。さらに、メモリ転送する第２のシンボル部分のシンボル数を、第１のシンボル部分のシンボル数と同一にすることで、シンボル数が異なるフレームに対する等化フィルタ処理を共通化することができる。